(57)【要約】【課題】  ＨＤラジオ３０において、ユーザが、現在選択中のＩＢＯＣ伝送フォーマットの放送モードにおいて有効な矩形キー３４等を能率的に認知できるようにする。【解決手段】  各放送モードにはそれぞれ異なる放送モード色が割り当てられる（例：ＩＢＯＣ放送及びＴＲ放送にそれぞれ青色及び緑色）。メイン及びサブのチャンネル切替は、ＩＢＯＣ放送及びＴＲ（Ｔｏｍｏｒｒｏｗ  Ｒａｄｉｏ）放送においてそれぞれ無効及び有効な機能であり、右端の円形キー３５のユーザ操作として割り当てられる。放送モードがＩＢＯＣ放送であるとき、カラーＬＣＤ３３の背景色（ディスプレイ色）が青色となるとともに、右端の円形キー３５を除く円形キー３５のバックライトは青色となる。放送モードがＴＲ放送であるとき、カラーＬＣＤ３３の背景色が緑色となるとともに、全円形キー３５のバックライトは緑色となる。【選択図】      図２
2006333370.tif 000002
【特許請求の範囲】
【請求項１】
１個の搬送周波数を割り当てられて所定の伝送フォーマットで送信されて来る受信放送に対し、１個の受信放送を選択して、該受信放送に係る放送内容を出力可能となっている放送受信機において、
選択中の受信放送の放送モードを検出する放送モード検出手段、
ユーザによって操作される複数個の操作部、
前記放送モードにおいて有効となる機能の実行指示のための操作部を有効操作部として検出する有効操作部検出手段、
前記放送モードに対応付けられている色を放送モード色として検出する放送モード色検出手段、及び
前記ディスプレイの背景部の少なくとも部分を放送モード色にするとともに、前記有効操作部に対応付けて放送モード色かその関連色を表示する放送モード色表示手段、
を有していることを特徴とする放送受信機。
【請求項２】
前記操作部は、機械的な操作部材であり、
前記放送モード色表示手段は、各有効操作部のバックライトを放送モード色にするものであることを特徴とする請求項１記載の放送受信機。
【請求項３】
前記ディスプレイはカラータッチパネルであり、
前記操作部は、前記カラータッチパネルに描画された操作部であり、
前記放送モード色表示手段は、各有効操作部を放送モード色又はその関連色としての補色に塗るものであることを特徴とする請求項１記載の放送受信機。
【請求項４】
１個の搬送周波数を割り当てられて所定の伝送フォーマットで送信されて来る受信放送に対し、１個の受信放送を選択して、該受信放送に係る放送内容を出力可能となっている放送受信機において、
選択中の受信放送の放送モードを検出する放送モード検出手段、
ユーザに選択させる複数個のメニュー項目をディスプレイに表示するメニュー項目表示手段、
前記放送モードにおいてユーザ選択が有効であるメニュー項目を有効メニュー項目として検出する有効メニュー項目検出手段、
前記放送モードに対応付けられている色を放送モード色として検出する放送モード色検出手段、及び
前記ディスプレイの背景部の少なくとも部分を前記放送モード色にするとともに、前記有効メニュー項目に対応付けて放送モード色を表示する放送モード色表示手段、
を有していることを特徴とする放送受信機。
【請求項５】
前記放送モード色表示手段は、各メニュー項目表示領域の背景色を放送モード色にするものであることを特徴とする請求項３記載の放送受信機。
【請求項６】
放送モード色は、該放送モード色に係る放送モードが、アナログ放送部分とデジタル放送部分との混在する受信放送の放送モードである場合には、アナログ放送部分及びデジタル放送部分に別々に対応付けられていることを特徴とする請求項１〜５のいずれかに記載の放送受信機。
【請求項７】
選択中の受信放送であってアナログ放送部分とデジタル放送部分とを含む受信放送からテキストを抽出するテキスト抽出手段、
抽出したテキストをディスプレイに表示するテキスト表示手段、
前記テキストのソースが、受信放送のアナログ放送部分かデジタル放送部分かを判別するソース判別手段、
ソースに対応付けられた色をソース色として検出するソース色検出手段、及び
前記ディスプレイに表示中のテキストに対応付けてソース色を表示するソース色表示手段、
を有していることを特徴とする請求項１〜６のいずれかに記載の放送受信機。
【請求項８】
前記ソース色表示手段は、ソース色をテキスト自体の色、又はテキスト表示領域における背景色とすることを特徴とする請求項７記載の放送受信機。
【請求項９】
１個の搬送周波数を割り当てられて所定の伝送フォーマットで送信されて来る受信放送に対し、１個の受信放送を選択して、該受信放送に係る放送内容を出力可能となっている放送受信機の制御方法において、
選択中の受信放送の放送モードを検出するステップ、
ユーザによって操作される複数個の操作部の中で前記放送モードにおいて有効となる機能の実行指示のための操作部を有効操作部として検出するステップ、
前記放送モードに対応付けられている色を放送モード色として検出するステップ、及び
前記ディスプレイの背景部の少なくとも部分を放送モード色にするとともに、前記有効操作部に対応付けて放送モード色かその関連色を表示するステップ、
を有していることを特徴とする放送受信機用制御方法。
【請求項１０】
１個の搬送周波数を割り当てられて所定の伝送フォーマットで送信されて来る受信放送に対し、１個の受信放送を選択して、該受信放送に係る放送内容を出力可能となっている放送受信機の制御方法において、
選択中の受信放送の放送モードを検出するステップ、
ディスプレイに表示されてユーザに選択させる複数個のメニュー項目であって前記放送モードにおいてユーザ選択が有効であるメニュー項目を有効メニュー項目として検出するステップ、
前記放送モードに対応付けられている色を放送モード色として検出するステップ、及び
前記ディスプレイの背景部の少なくとも部分を前記放送モード色にするとともに、前記有効メニュー項目に対応付けて放送モード色を表示するステップ、
を有していることを特徴とする放送受信機用制御方法。
【請求項１１】
請求項１〜８のいずれかに記載の放送受信機の各手段としてコンピュータを機能させるためのプログラム。
【発明の詳細な説明】
【技術分野】
【０００１】
本発明は、例えばＨＤ（High Definition）ラジオ等の放送受信機、該ラジオ等に適用される放送受信機用制御方法及びプログラム放送受信機に関し、詳しくはユーザインターフェースを改善した放送受信機に関するものである。
【背景技術】
【０００２】
ラジオの伝送フォーマットであるＩＢＯＣ（In Band On Channel）伝送フォーマットには、放送モードとして、アナログ放送部分とデジタル放送部分とを１個ずつ含むハイブリッド放送（以下、単に、「ＩＢＯＣ放送」と言う。）、デジタル放送部分単独のフルデジタル放送、１個のアナログ放送部分と複数個のデジタル放送部分とを含むＴｏｍｏｒｒｏｗ  Ｒａｄｉｏ放送（以下、「ＴＲ放送」と言う。）、野球中継のようにリアルタイム性が重視される放送内容に対してアナログ音声を優先的に出力させるＮｏｎ−Ｄｅｌａｙ放送がある。また、ＩＢＯＣ放送局は、放送する番組内容等により放送モードを適宜、変更してもよいことになっている。
【０００３】
ＩＢＯＣ伝送フォーマットの各放送モードでは、放送モード独自の機能が存在することがある。例えば、チャンネル切替機能は、メインチャンネルと１個以上のサブチャンネルとの複数個のデジタル放送部分を含むＴＲ放送では、有効とされる機能であるが、デジタル放送部分を１個しか含まないＩＢＯＣ放送では、無効とされる機能である。
【０００４】
従来のＨＤラジオでは、ユーザは、現在、選択中の受信放送としてのＩＢＯＣ伝送フォーマットがどの放送モードとなっているかを知るために、放送モード情報を提示する画面を切り替えたり、各放送モードに対応付けられているインジケータの点灯を視認したりする必要があり、こうして知った放送モードに基づき現在有効な機能の実施を指示する操作部材を自ら判断し、判断に基づきそれらを操作していた。ユーザが、放送モード情報の提示画面へ切り替えることは大変煩雑である。また、車載用のディスプレイ等のインジケータ配備面積は限られており、放送モードの個数だけインジケータを配備すると、各インジケータのサイズは減少し、ユーザは各インジケータを視認し難くなる。
【０００５】
特許文献１は、その図１、図２、図４及び図６のデジタル放送受信機に関連して、受信メディア（ＢＳ放送、地上デジタル放送及びデジタルＣＡＴＶ放送等）別にバックライト色を変更することを開示する。さらに、図７のデジタル放送受信機に関連して、各受信メディアの放送タイプ別（例：テレビ放送、音声放送及びデータ放送）及び映像フォーマット別（例：高精細放送及び標準放送）にバックライト色を変更することも開示する。なお、受信メディアとは伝送フォーマットにほぼ対応し、放送タイプ及び映像フォーマットは放送モードにほぼ対応している。特許文献１の放送受信機では、ユーザは、伝送フォーマットや放送モードの情報を、画面切り替えや、インジケータの視認に代えて、バックライト色を視認するだけで、認知できるので、認知が能率的かつ容易となる。
【０００６】
特許文献２は、受信中の番組のジャンルを検出して、字幕のフォントやテキスト色をジャンルに応じて変更することを開示する。字幕のフォントやテキスト色を固定することに対して、ジャンル別に変更することにより、番組内容と字幕との統一感が高まり、ユーザの印象か高まる。
【特許文献１】特開２００１−２７５０５１号公報
【特許文献２】特開２００２−２７１７１２号公報
【発明の開示】
【発明が解決しようとする課題】
【０００７】
特許文献１は、バックライト色により伝送フォーマット又は放送モードをユーザに認知させることを開示するのみである。特許文献２は、字幕のフォント又は色を出力中の番組のジャンルに整合させることを開示するのみである。
【０００８】
ＨＤラジオ等の放送受信機では、所定の機能が、或る放送モードに対しては有効であるものの、別の放送モードでは、無効な機能であることがある。また、これに対応して、或る放送モードの所定の機能の指示のためのユーザ操作又はメニュー項目表示に割り当てられた機械式操作部材及びディスプレイ上のメニュー項目が、別の放送モードでは、ユーザ操作や選択が無効になる場合がある。この場合、ユーザは、現在選択中の受信放送の放送モードを知る必要があるとともに、該放送モードにおいてユーザ操作又は選択が有効な操作部材やメニュー項目がどれであるかを記憶に基づき判断して、有効な操作部材又はメニュー項目に対してユーザ操作又は選択を行わなければならず、煩雑である。特許文献１，２は、これに対処する技術を示唆していない。
【０００９】
また、選択中の受信放送がアナログ放送部分とデジタル放送部分とを含んでいる場合に、アナログ放送部分及びデジタル放送部分の両方からテキストを抽出自在になっている場合に、抽出してユーザへ表示されているテキストが、アナログ放送部分及びデジタル放送部分のどちらから抽出されたものであるのか分からないことがある。例えば、ＴＲ放送では、出力中のオーディオはアナログ放送部分から抽出され、ディスプレイに表示中のテキストはデジタル放送部分から抽出されており、ユーザは、選択中の受信放送がＴＲ放送であった場合、出力中のオーディオ及び表示中のテキストがそれぞれ別のソースであることに気付かず、無用なユーザ操作を行う場合がある。特許文献１，２は、これに対処する技術も示唆していない。
【００１０】
本発明の目的は、現在選択中の受信放送において有効な操作部又はメニュー項目をユーザに能率的に分からせることができる放送受信機、放送受信機用制御方法及びプログラムを提供することである。
【００１１】
本発明の他の目的は、選択中の受信放送がアナログ放送部分とデジタル放送部分とを含んでいる場合に、抽出してユーザへ表示されているテキストが、アナログ放送部分及びデジタル放送部分のどちらから抽出されたものかを、能率的に知らせることができる放送受信機、放送受信機用制御方法及びプログラムを提供することである。
【課題を解決するための手段】
【００１２】
本発明の放送受信機、放送受信機用制御方法及びプログラムでは、選択中の受信放送の放送モードが検出され、該放送モードにおいて有効となる機能の実行指示のための操作部が有効操作部として検出され、該放送モードに対応付けられた色としての放送モード色が検出される。そして、ディスプレイの背景部の少なくとも部分、典型的には背景部全体が放送モード色とされるとともに、放送モード色又はその関連色（例：放送モード色の補色）が、有効操作部に対応付けられる。
【００１３】
本発明の別の放送受信機、放送受信機用制御方法で及びプログラムでは、選択中の受信放送の放送モードが検出され、ユーザに選択させる複数個のメニュー項目の内、放送モードにおいてユーザ選択が有効であるメニュー項目が有効メニュー項目として検出され、また、該放送モードに対応付けられた色としての放送モード色が検出される。そして、ディスプレイの背景部の少なくとも部分、典型的には背景部全体が放送モード色とされるとともに、放送モード色が、典型的には有効メニュー項目の背景色として、有効メニュー項目に対応付けて表示される。
【００１４】
本発明の他の放送受信機、放送受信機用制御方法及びプログラムは、本発明の上記の放送受信機、放送受信機用制御方法及びプログラム、又は上記の別の放送受信機、放送受信機用制御方法及びプログラムに次の技術事項を付加する。すなわち、選択中の受信放送であってアナログ放送部分とデジタル放送部分とを含む受信放送からテキストが抽出され、抽出されたテキストがディスプレイに表示される。そして、テキストのソースが、受信放送のアナログ放送部分かデジタル放送部分かを判別され、ソースに対応付けられた色がソース色として検出される。そして、該ソース色が、典型的には、ディスプレイに表示中のテキストに対する背景の色として、該テキストに対応付けて、表示される。
【発明の効果】
【００１５】
本発明によれば、選択中の受信放送の放送モードにおいてユーザ操作の有効な操作部又は選択有効なメニュー項目が、放送モード色やその関連色により、ディスプレイの背景部の少なくとも部分に対応付けられるので、ユーザは有効な操作部又はメニュー項目を能率的に把握できる。
【００１６】
本発明の他の放送受信機、放送受信機用制御方法及びプログラムによれば、表示中のテキストは、その抽出元のアナログ放送部分又はデジタル放送部分に、色により対応付けられるので、ユーザはテキスト抽出元を能率的に把握できる。
【発明を実施するための最良の形態】
【００１７】
図１はＨＤラジオ１０の構成図である。ＨＤラジオ１０は、ＩＢＯＣ伝送モードの受信に対応している。アナログＦＭ放送単独のラジオ放送の放送モードは、該ラジオ放送の放送内容の出力処理においては、ＩＢＯＣ伝送モードの放送モードの中の１例として取り扱われてよく、すなわち、ＩＢＯＣ伝送モードの放送モードの中で、デジタル放送を含まない放送モードとして取り扱われてよく、ＩＢＯＣ伝送モード受信に対応しているＨＤラジオ１０は、ＩＢＯＣ伝送モードのラジオ放送と共に、アナログＦＭ放送単独のラジオ放送もオーディオ出力可能となっている。該ＨＤラジオ１０は、ＡＭチューナも装備し、ユーザの伝送モード切替えにより、ＡＭアナログ放送の放送内容を出力可能になっている。ＨＤラジオ１０は、例えば、自動車に搭載されたり、人に携帯されたりする移動タイプのものに限定されず、携帯不能でかつ家屋内に据え付けられるタイプのものであってもよい。
【００１８】
入力装置１１は、ユーザ操作され、ユーザ操作情報をメインコントローラ１２へ送る。チューナ１３は、メインコントローラ１２からの選局情報に基づき該当の受信放送を選択して、該受信放送の中間周波数信号をアナログ／デジタル復調部１４へ出力する。アナログ／デジタル復調部１４は、チューナ１３からの中間周波数信号を復調するとともに、復調信号をデジタル信号へ変換してから、所定の復号を行い、メインコントローラ１２からのオーディオ選択情報に基づき抽出した所定のオーディオ信号を音声処理・出力装置１５へ送る。アナログ／デジタル復調部１４は、また、抽出した種々のデータをメインコントローラ１２へ送る。アナログ／デジタル復調部１４は、音声処理・出力装置１５は、例えばスピーカを含み、アナログ／デジタル復調部１４からのオーディオ信号に係るオーディオを、ユーザが調整する音量で出力する。
【００１９】
表示制御部１６は、メインコントローラ１２からの制御情報及び表示内容情報に基づき表示装置１７における表示内容及び表示態様を制御する。バックライト制御部１８は、メインコントローラ１２からの制御情報に基づきバックライト発光部１９を制御する。ここで、タッチパネル内に映像のキーとして適宜、表示され、選択時にユーザによりタッチされるによりものを「ソフトキー」と定義する。また、機械式の操作部材とは、ソフトキーに対して、ユーザが物理的に変位させて操作する操作部材を言うものとする。バックライト発光部１９は、機械式の各操作部材の背面側にそれぞれ配設されており、バックライト発光部１９の発光色は、それが背面側に配置されている少なくとも部分的に透明な各操作部材を通過し、ユーザには各操作部材の色として視認されるようになっている。
【００２０】
図２はユーザにより選択された受信放送の放送モードがＩＢＯＣ放送である場合のＨＤラジオ３０の状態を示す正面図である。なお、ＩＢＯＣ放送とは、前述しているように、ＩＢＯＣ伝送フォーマットにおいてアナログ放送部分及びデジタル放送部分をそれぞれ１個ずつ含んでいるハイブリッド放送のことを言っている。ＨＤラジオ３０は、図１のＨＤラジオ１０を具体化したものであり、ＨＤラジオ１０における入力装置１１は、ＨＤラジオ３０では矩形キー３４及び円形キー３５と具体化されており、ＨＤラジオ１０における表示装置１７は、ＨＤラジオ３０ではカラーＬＣＤ３３となっている。
【００２１】
２００５年の時点でＨＤラジオで受信可能な放送モードは、アナログ放送のみ、ＩＢＯＣ放送、フルデジタル放送、Ｎｏｎ−Ｄｅｌａｙ放送及びＴＲ放送であるので、これに則して、ＨＤラジオについて説明する。しかし、今後、交通情報やデータ放送など新しくサービスが追加されるのに伴って放送モードが新規、追加されることがあり得る。本発明における放送モードとはそれら将来、追加される放送モードを排除しない。
【００２２】
ＨＤラジオ３０では、放送モード別、又は所定の放送モード内のアナログ放送部分及びデジタル放送部分信号別に異なる色が設定される。ＩＢＯＣの各放送モード又は所定の放送モード内のアナログ放送部分及びデジタル放送部分に対する設定色は例えば次のとおりである。
【００２３】
（ａ１）１個の受信放送が１個のアナログ放送である場合の該アナログ放送、又はＩＢＯＣ放送及びＴＲ放送のアナログ放送部分：白色
（ａ２）ＩＢＯＣ放送の場合のデジタル放送部分：青色
（ａ３）フルデジタル放送：黄色
（ａ４）Ｎｏｎ−Ｄｅｌａｙ放送：水色
（ａ５）ＴＲ放送の場合のデジタル放送部分：緑色
【００２４】
図面では、色が表現できないので、各図の各領域の線の記入態様で色を表現している。線の記入態様と色との関係は次のとおりである。
【００２５】
（ｂ１）縦の平行線（図２及び図４）：青色
（ｂ２）横の平行線（図３）：緑色
（ｂ３）右肩上がりの斜めの平行線（図４）：水色
【００２６】
ＨＤラジオ３０の構成についての説明の便宜上、ＨＤラジオ３０の左右とは、ＨＤラジオ３０の正面視の左右を言うものとする。前面パネル３１はＨＤラジオ３０の前面に配置され、ボリューム調整部材３２は、前面パネル３１の左端部に配備され、スピーカの音量増減の際にユーザにより回転操作される。カラーＬＣＤ３３は、前面パネル３１において、左右方向へボリューム調整部材３２の右端から前面パネル３１の右端近傍までの範囲を占め、所定の情報をテキストで表示する。複数個（図では、７個）の矩形キー３４は、カラーＬＣＤ３３の下方において横一列に配備され、各種のユーザ指示の際にユーザにより押下される。複数個（図では、３個）の円形キー３５は、カラーＬＣＤ３３の下方において矩形キー３４の列の右に横一列に配備される。なお、矩形キー３４及び円形キー３５は、前述した機械式の操作部材の概念に含まれるものである。
【００２７】
ＨＤラジオ３０に対するユーザ指示は、各矩形キー３４及び各円形キー３５に対応付けられており、１個の矩形キー３４又は円形キー３５が複数個のユーザ指示に対応付けられていることもある。１個の矩形キー３４又は円形キー３５が、放送モードに関係なく、共通のユーザ指示に対応付けられていることもあるし、放送モード別に異なるユーザ指示に対応付けられていることもある。例えば、３個の円形キー３５の内、右端の円形キー３５は、チャンネル切替キーとする。放送モードがＴＲ放送である場合、ＴＲ放送には、複数個のデジタル放送部分が含まれているので、チャンネル切替が可能であり、右端の円形キー３５の押下操作は有効となっている。これに対して、放送モードがＩＢＯＣ放送である場合には、ＩＢＯＣ放送には、デジタル放送部分が１個しか含まれないので、チャンネル切替は困難であり、右端の円形キー３５の押下操作は無効になる。
【００２８】
図２のＨＤラジオ３０は、ＩＢＯＣ伝送フォーマットの受信放送を選択していて、該受信放送の放送モードがＩＢＯＣ放送であり、かつＩＢＯＣ放送のデジタル放送部分に係るオーディオが出力されている状態となっている。したがって、チャンネル切替機能は無効となっている。なお、一般的なＩＢＯＣ放送は、アナログ放送部分とデジタル放送部分とのサイマル放送となっており、ＨＤラジオ３０におけるアナログ放送部分及びデジタル放送部分の切替はユーザにより手動で行われることもあるが、通常は、ＡＵＴＯ切替機能によりデジタル放送部分が優先的に選択されるようになっており、電界強度が所定レベル未満である場合のみ、アナログ放送部分が選択されるようになっている。
【００２９】
ＨＤラジオ３０のカラーＬＣＤ３３では、選択している受信放送を設定してあるプリセットキーの番号として”ＦＭ１”、該受信放送の放送局名として”ＷＸＹＺ−ＦＭ”、出力中の楽曲のタイトルとして”Ｌｅｔ  ｉｔ  ｂｅ”、該楽曲のアーティスト名として”Ｂｅａｔｌｅｓ”が表示されている。図２では、現在選択中の受信放送の放送モードがＩＢＯＣ放送であるので、カラーＬＣＤ３３の背景色（＝ディスプレイ色）は青色となる。また、前述したように、ＩＢＯＣ放送ではチャンネル切替は無効であるので、チャンネル切替用の操作部材である右端の円形キー３５についてはユーザ操作は無効とされる。したがって、右端の円形キー３５はそのバックライトを消灯されているとともに、右端の円形キー３５を除く他の円形キー３５及び全部の矩形キー３４（これら円形キー３５及び矩形キー３４についてはユーザ操作が有効となっている。）のバックライトは青色となる。ユーザは、所定の矩形キー３４及び円形キー３５がディスプレイ色と同色であることを目印にして、それら有効の矩形キー３４及び円形キー３５に対してユーザ操作を行うことになる。また、ユーザは、右端の円形キー３５を操作しても、ユーザ操作が無効であることを認知する。
【００３０】
図３はユーザにより選択された受信放送の放送モードがＴＲ放送である場合のＨＤラジオ３０の状態を示す正面図である。選択された受信放送の放送モードがＴＲ放送であるので、インジケータとして”ＴＲ”がカラーＬＣＤ３３の右端部に表示されるとともに、カラーＬＣＤ３３の背景色（＝ディスプレイ色）は緑色になる。ＴＲ放送は、複数個のデジタル放送部分を含むので、それらデジタル放送部分を切替えるためのチャンネル切替が有効になる。したがって、右端円形キー３５のユーザ操作も有効になる。結果、右端の円形キー３５の含む全部の円形キー３５及び全部の矩形キー３４のバックライトが緑色になる。ユーザは、所定の矩形キー３４及び円形キー３５のバックライトがディスプレイ色と同色であることを目印にして、それら有効の矩形キー３４及び円形キー３５に対してユーザ操作を行うことになる。
【００３１】
ＨＤラジオ３０を搭載する自動車が移動するのに伴い、選択中の受信放送の電界強度が低下して所定レベルＬ１未満になることがある。さらに電界強度が弱まると、デジタル放送部分だけでなく、アナログ放送部分のオーディオ出力も困難になるが、電界強度がＬ１より少し低い状態では、デジタル放送部分のオーディオは出力不能であるものの、アナログ放送部分のオーディオは出力可能となっている。ＨＤラジオ３０においてＡＵＴＯ切替機能が設定されている場合には、選択中の受信放送の電界強度が所定レベルＬ１未満になると、デジタル放送部分からアナログ放送部分への自動的な切り替えが行われる。また、これに伴い、カラーＬＣＤ３３のディスプレイ色が白色になるとともに、ユーザ操作がアナログ放送部分において無効になっているものを除く残りの矩形キー３４及び円形キー３５は、それらのバックライトを緑色から、アナログ放送部分に対応付けられている白色へ切替えられる。
【００３２】
図４はユーザにより選択された受信放送の放送モードがＮｏｎ−Ｄｅｌａｙ放送である場合のＨＤラジオ３０の状態を示す正面図である。ＨＤラジオ３０は、放送モードがＮｏｎ−Ｄｅｌａｙ放送である場合、アナログ放送部分のオーディオを出力する。しかし、Ｎｏｎ−Ｄｅｌａｙ放送のデジタル放送部分には、表示出力可能なテキストが含まれており、テキストについては、デジタル放送部分からテキストを抽出し、表示する場合がある。
【００３３】
カラーＬＣＤ３３は、テキスト”Ｌｅｔ  ｉｔ  ｂｅ／Ｂｅａｔｌｅｓ”を表示するテキスト表示領域とその他のディスプレイ色領域とに分かれている。図３及び図４のＨＤラジオ３０では、ＩＢＯＣ放送及びＴＲ放送のデジタル放送部分からテキストが抽出されており、テキスト表示領域及びディスプレイ色領域共に、ディスプレイ色である青色及び緑色となっていた。しかし、Ｎｏｎ−Ｄｅｌａｙ放送では、スピーカから出力するオーディオはアナログ放送部分から抽出されることになっているので、また、テキストはデジタル放送部分から抽出されるので、テキスト表示領域及びディスプレイ色領域は、それぞれデジタル放送部分を意味する青色（青色はＩＢＯＣ放送に対応付けた色である。）及びＮｏｎ−Ｄｅｌａｙ放送を意味する水色となる。これにより、ユーザは、現在表示中のテキストのソースが、現在出力中のオーディオの出力のソースとは異なることを認知し、認知に対処したユーザ操作等を実施する。また、Ｎｏｎ−Ｄｅｌａｙ放送では、メインチャンネルとサブチャンネルとのデジタル放送部分の切替がないので、右端の円形キー３５は、そのバックライトを消灯されている。
【００３４】
図５はカラータッチパネル５３を装備するＨＤラジオ５０の正面図である。カラータッチパネル５３は、ＨＤラジオ５０と共に自動車に装備されるナビゲーション装置のディスプレイを兼ねており、また、タッチパネルとしてユーザ操作部を兼用している。ＨＤラジオ５０は、図１のＨＤラジオ１０の一例であり、カラータッチパネル５３はＨＤラジオ１０の表示装置１７及び入力装置１１の一例である。カラータッチパネル５３は、前面パネル５１において、その下辺部分を除くほぼ全体を占めている。前面パネル５１の下辺部分には、ボリューム調整部材５２、矩形キー５４、円形キー５５及び画面切替キー５６が横一列で配備される。ボリューム調整部材５２は右端部に配置され、３個の矩形キー５４及び２個の円形キー５５は左半部に配備される。１対の画面切替キー５６は右端の円形キー５５とボリューム調整部材５２との間に配置される。ボリューム調整部材５２、矩形キー５４、円形キー５５及び画面切替キー５６は機械式の操作部材である。
【００３５】
図５のカラータッチパネル５３はメイン画面６０及びメニュー画面６１を含んでいる。メイン画面６０は、現在、オーディオ出力中の楽曲に関するテキスト情報が表示されている。メニュー画面６１は、メニュー項目として”イコライザー設定”、”受信モード切り替え”、”チャンネル切り替え”及び”シークモード切り替え”を含み、メイン画面６０の前面側にポップアップされている。メニュー画面６１は、ユーザが所定の操作部材を操作したり、カラータッチパネル５３内の所定のタッチ部をタッチしたりすると、出現する。
【００３６】
図５のＨＤラジオ５０が現在選択している受信放送の放送モードはＴＲ放送であると想定している。したがって、メイン画面６０においてテキストに対する背景色（ディスプレイ色）は緑色とされるとともに、ユーザ操作が有効となっているキーとしての矩形キー５４及び円形キー５５（図５の例では全部の矩形キー５４及び円形キー５５が有効となっている。）のバックライトは緑色にされている。左右の画面切替キー５６は、現在表示中の画面に対して前に表示された画面へ戻ったり、次に表示する画面へ進んだりする場合にユーザにより押下されるものである。画面切替キー５６は、選択した受信放送がＴＲ放送である場合は、ユーザ操作としては使用できないものであるので、そのバックライトは現在消灯状態になっている。さらに、メニュー画面６１のメニュー項目の内、現在の放送モードとしてのＴＲ放送専用の”チャンネル切り替え”の表示領域におけるテキストに対する背景色も、ＴＲ放送に対応付けられた色としての緑色にされる。その他のメニュー項目としての”イコライザー設定”、”受信モード切り替え”及び”シークモード切り替え”は、放送モードがＩＢＯＣ放送のときだけでなく、すべての放送モード共通に有効となるものであるので、放送モード共通に対応付けられた色をテキストに対する背景の色とされる。
【００３７】
ＨＤラジオでは、アナログ放送単独の受信放送も選択して、そのオーディオを出力可能としているため、ＩＢＯＣ伝送フォーマット内の放送モード別だけでなく、アナログ放送単独の放送モード(例えば、ＲＤＳ(又はＲＢＤＳ。ＲＤＳ：Radio Data System。ＲＢＤＳ：Radio Broadcast Data system)の有無、モノ／ステレオなど)別に所定の機能を装備することが考えられる。本発明では、これらのアナログ放送単独の受信放送における放送モード別にＩＢＯＣ伝送フォーマットの放送モード別と同様に扱って、アナログ放送単独の受信放送における放送モード別にそれぞれに対応する色を設定することも可能である。例えば、ＲＤＳ(又はＲＢＤＳ）、アナログステレオＦＭ放送、及びアナログモノＦＭ放送の放送モードに対し、それぞれ橙色、白、桃色を割り当てる。なお、アナログ放送単独の受信放送の各放送モードに対応付ける色は、ＩＢＯＣ伝送フォーマットの各放送モードに対応付けた放送モード色と同様に、受信機やユーザの好みによって変更可能とする。また、アナログ放送単独の受信放送において放送モード別に異なる機能としては、放送モードが、ＲＤＳ(又はＲＢＤＳ）等のＦＭ放送である場合のマルチパスによるステレオブレンディング機能（マルチパスによりノイズ増大時に、ステレオ放送をブレンドすることにより、モノにして、ノイズ低減を図る機能）のオン／オフ設定がある。該オン／オフ設定は、放送モードがＡＭである場合には、ない。
【００３８】
こうして、ＨＤラジオ３０のディスプレイ色（カラーＬＣＤ３３の背景色）並びに有効な矩形キー３４及び円形キー３５のバックライト（図２等）又は有効なメニュー項目の背景色（図５等）は、選択した受信放送の伝送フォーマットがＲＤＳ、アナログステレオＦＭ放送、及びアナログモノＦＭ放送である場合は、それぞれ橙色、白、桃色と変化する。
【００３９】
ＲＤＳ（又はＲＢＤＳ）では、放送局を表す文字列（Station Call Letter）や放送中の曲名やアーティスト名を表示可能であり、ＲＤＳ（又はＲＢＤＳ）対応のＨＤラジオではサイマル放送されるアナログとデジタルの同内容の番組に対してアナログとデジタルで２種類のテキストを受信することが考えられる。また、Ｎｏｎ−Ｄｅｌａｙ放送時のようにデジタルが受信可能にもかかわらず、ＨＤラジオがアナログ音声を強制的に出力させる場合や、弱電界環境でＩＢＯＣ放送受信時に受信レベルが低いので、音声はアナログから抽出しても、テキストはデジタルから抽出可能といった状況があり得る。このような場合に曲名表示を行うときは、現在表示しているテキストがアナログのテキストなのかデジタルのテキストなのかがユーザに分かり難い。また、同時に両方のテキストを表示したり、ユーザがテキスト表示をデジタル／アナログに固定可能としたりすることも要望される。これに対処し、ＨＤラジオ１０，３０，５０では、表示装置１７内のテキスト表示領域は、各放送モードに対応付けた色（ディスプレイ色）とは別に、該テキスト表示領域のテキストを抽出したアナログ又はデジタルに対して対応付けた色にする。
【００４０】
例えば、受信放送の放送モードがＩＢＯＣ放送である場合には、オーディオとテキストとが両方ともデジタル放送部分から抽出したものであるため、図２のようにカラーＬＣＤ３３は青一色で表示される。受信放送の放送モードがＮｏｎ−Ｄｅｌａｙ放送である場合には、Ｎｏｎ−Ｄｅｌａｙ放送に対応する水色にディスプレイ色を切り替えるが、テキストは、デジタル放送部分から抽出したものであるので、テキスト表示領域は、図４のように、ディスプレイ色とは異なる、デジタル放送部分の色として、例えばＩＢＯＣ放送に対応付けている青色を背景色とする。また、受信放送の放送モードがＮｏｎ−Ｄｅｌａｙ放送である場合に、アナログ放送部分から抽出したテキストを表示するときは、テキスト表示領域は、ＲＤＳ（又はＲＢＤＳ）に対応付けられた色としての橙色にする。同様に、ＩＢＯＣ放送の弱電界環境のため、デジタル放送部分からオーディオは抽出できないものの、テキストが抽出できた場合は、ディスプレイ色のみが、アナログ放送部分に対応付けられている白色となり、テキスト表示部は青色の背景色とする。この色分けの制御は、カラーＬＣＤ３３がテキスト情報を表示している表示画面においてのみ適用され、ユーザが表示画面などを切り替えて、テキスト情報ではなく、時刻情報や音声出力に対応したスペアナ表示などを選択した場合は、カラーＬＣＤ３３はディスプレイ色のみとする。
【００４１】
また、テキスト表示しているテキスト表示領域の背景色を変える代わりに、テキスト自体の色を切り替えてもよい。さらに、テキスト情報については、放送モードとは独立した色を、アナログ／デジタルそれぞれで割り当てて、テキストに係る色表示制御を適用してもよい。
【００４２】
こうして、ユーザは、現在表示している曲名などのテキスト情報がデジタル受信によるものなのか、アナログのＦＭ多重などにより受信したものなのかを、一目で認識することができ、表示切替キーなどそれぞれに対応した機能が存在しても、テキスト表示領域の背景色又はテキスト自体の色と同一の色のついたキー（該テキストに係るユーザ操作に係るキー）を操作することにより所望の機能を簡単に実行することができる。
【００４３】
図６は放送受信機７０の機能ブロック図である。放送受信機７０は、１個の搬送周波数を割り当てられて所定の伝送フォーマットで送信されて来る受信放送に対し、１個の受信放送を選択して、該受信放送に係る放送内容を出力可能となっている。放送受信機７０は、放送モード検出手段７１、複数個の操作部７２、有効操作部検出手段７３、放送モード色検出手段７４及び放送モード色表示手段７５を有している。放送モード検出手段７１は、選択中の受信放送の放送モードを検出する。各操作部７２は、ユーザによって操作される。有効操作部検出手段７３は、放送モードにおいて有効となる機能の実行指示のための操作部７２を有効操作部として検出する。放送モード色検出手段７４は、放送モードに対応付けられている色を放送モード色として検出する。放送モード色表示手段７５は、ディスプレイ７６の背景部の少なくとも部分を放送モード色にするとともに、有効操作部に対応付けて放送モード色かその関連色を表示する。
【００４４】
放送受信機７０の具体例は前述のＨＤラジオ１０，３０であり、操作部７２の具体例は前述の入力装置１１、矩形キー３４及び円形キー３５であり、ディスプレイ７６の具体例は前述の表示装置１７である。なお、放送受信機７０、及び後述の放送受信機８５，１０５（図７及び図８）において、それら放送受信機が受信して処理可能な受信放送は、単一の伝送フォーマットに限定されず、種々の伝送フォーマットであってもよいとする。例えば、放送受信機は、ＩＢＯＣの伝送フォーマット、ＦＭの伝送フォーマット、ＲＢＤＳの伝送フォーマット及びＡＭの伝送フォーマットの放送信号を受信して、オーディオ処理可能であってもよい。また、放送モードを定義する伝送フォーマットは、ラジオ放送の伝送フォーマットに限定されず、テレビ放送の伝送フォーマットであってもよく、放送モードは、アナログ放送単独の伝送フォーマットに係る放送モード（例：ＲＤＳ又はＲＢＤＳとデータ放送無しのＦＭ）、デジタル放送単独の伝送フォーマットに係る放送モード、又はアナログ放送部分とデジタル放送部分との混在する伝送フォーマット（例：ＩＢＯＣ伝送フォーマット）に係る放送モードであってよい。
【００４５】
放送モード色表示手段７５は、好ましくは、ディスプレイ７６の背景部の全部を放送モード色とする。ディスプレイ７６の背景部の色とはディスプレイ色のことを意味する。放送モード色を表示する背景部を利用して、ディスプレイ色を放送モード色とすることにより、放送モード色を表示する部分を特別に付加したり、インジケータを装備したりする必要を省略できる。
【００４６】
操作部７２は、物理的な（機械的な）操作部材だけでなく、ディスプレイ７６としてのカラータッチパネル上に描画されてタッチ操作される操作部を包含する。以降、カラータッチパネル上に描画されてタッチ操作される操作部のことを適宜、「ソフトウェア上の操作部」又は「ソフトキー」と呼ぶことにする。ソフトウェア上の操作部は、図５の”イコライザー設定”、”受信モード切り替え”、”チャンネル切り替え”及び”シークモード切り替え”等のメニュー項目を含んでよいが、メニュー項目以外で、単に、タッチ操作されるすべてのソフトウェア上の操作部（例：図２の矩形キー３４及び円形キー３５と同一の機能を果たすもの。）を包含する。ソフトウェア上の操作部は、典型的には、ユーザにその操作内容が理解できるように、例えば”確定”、”アップ”、”ダウン”、”左”、”右”等の説明が付加されるが、形状（例：形状を三角形として、頂点の向きがカーソル移動方向としての上、下、左又は右を示す。）によりソフトウェア上の操作部のタッチ操作についての処理内容がユーザに直感できれば、説明を省略することができる。
【００４７】
ユーザは、現在の放送モードをディスプレイ７６の背景部の色により判別できるので、現在の放送モードが何であるかを知るために、一々、画面を切り替える手間を省略される。例えば、ユーザが選択している受信放送が同一であっても、該受信放送の放送モードは、時間経過に伴い、変化することがあり、ユーザは、ディスプレイ７６の背景部の色が変わったことにより、該受信放送の放送モードが変化したことを迅速に知ることができる。また、放送モード色を表示する十分な面積が確保されるので、視認し易くなる。また、有効な操作部７２は、ディスプレイ７６の背景部の色と同一の色か関連色（例：補色）により対応付けられ、かつ放送モードに連動して色も変化するので、把握し易く、また、ユーザの印象も強化され、ユーザは各放送モード別有効操作部がどれであるかを覚え込み易くなる。さらに、ユーザが選択している受信放送が同一であっても、該受信放送の放送モードは、時間経過に伴い、変化することがあり、ユーザは、ディスプレイ７６の背景部の色が変わったことにより、該受信放送の放送モード及び有効操作部が変化したことを迅速かつ正確に知ることができる。
【００４８】
放送受信機７０の具体的態様について説明する。
【００４９】
放送モード色表示手段７５は、各有効操作部のバックライトを放送モード色にするものである。有効操作部に対する放送モード色の対応付けには、有効操作部の近傍に発光体を配備する方法もあるが、バックライトは、操作部７２の後ろ側に配置でき、操作部７２の配置スペースを狭めることがないので有利である。同一の操作部７２が、複数個の放送モードに対して、同一の機能の実行指示のためのユーザ操作に割り当てられていることがあるが、放送モードが異なると、別の機能の実行指示のためのユーザ操作に割り当てられていることがあり得る。所定の操作部７２のバックライトは、複数個の色に切り替え自在になっている必要がある。
【００５０】
放送モード色表示手段７５は、各無効操作部７２のバックライトを消灯するものである。無効操作部７２の一例は、図２の右端の円形キー３５である。無効用の色を割り当ててもいいが、消灯とした方が、バックライトに必要な色を低減できる。
【００５１】
放送受信機７０において、放送モードは、アナログ放送単独の伝送フォーマットに係る放送モード、デジタル放送単独の伝送フォーマットに係る放送モード、又はアナログ放送部分とデジタル放送部分との混在する放送に係る放送モードである。
【００５２】
例えば、ディスプレイ７６はカラータッチパネルであり、操作部７２は、カラータッチパネルに描画された操作部（＝ソフトウェア上の操作部）である。放送モード色表示手段７５は、各ソフトウェア上の操作部を放送モード色又はその関連色としての補色に塗るものである。
【００５３】
ソフトウェア上の操作部としての操作部７２の色を、ディスプレイ７６の背景色と同一の放送モード色にすると、ソフトウェア上の操作部とディスプレイ７６の背景との見分けがつき難くなる。これに対処するため、例えば、ソフトウェア上の操作部は放送モード色と明確に区別される色としての黒色の太い輪郭線付きとしたり、ソフトウェア上の操作部の色を放送モード色の関連色としての補色にしたりしてもよい。
【００５４】
有効なソフトウェア上の操作部を放送モード色や補色にするのに対し、無効なソフトウェア上の操作部は、それをユーザに直感的に理解させるために、色を薄くしたり、表示から消したりすることが好ましい。また、ソフトウェア上の操作部に対し、デフォルトの色を設定し、無効なソフトウェア上の操作部はデフォルトの色のままとし、有効なソフトウェア上の操作部は放送モード色や補色にすることもできる。
【００５５】
図７は放送受信機８５の機能ブロック図である。放送受信機８５も、前述の放送受信機７０と同様に、１個の搬送周波数を割り当てられて所定の伝送フォーマットで送信されて来る受信放送に対し、１個の受信放送を選択して、該受信放送に係る放送内容を出力可能となっている。放送受信機８５は、放送モード検出手段８６、メニュー項目表示手段８７、有効メニュー項目検出手段８８、放送モード検出手段８９及び放送モード色表示手段９０を有している。放送モード検出手段８６は、選択中の受信放送の放送モードを検出する。メニュー項目表示手段８７は、ユーザに選択させる複数個のメニュー項目９５をディスプレイ９４に表示する。有効メニュー項目検出手段８８は、放送モードにおいてユーザ選択が有効であるメニュー項目９５を有効メニュー項目９５として検出する。放送モード検出手段８９は、放送モードに対応付けられている色を放送モード色として検出する。放送モード色表示手段９０は、ディスプレイ９４の背景部の少なくとも部分を放送モード色にするとともに、有効メニュー項目９５に対応付けて放送モード色を表示する。
【００５６】
放送受信機８５の具体例は前述のＨＤラジオ１０，５０であり、ディスプレイ９４の具体例は前述の表示装置１７及びカラータッチパネル５３であり、メニュー項目９５の具体例は図５の”イコライザー設定”、”受信モード切り替え”、”チャンネル切り替え”及び”シークモード切り替え”である。メニュー項目９５の選択、確定は、ディスプレイ９４がタッチパネルである場合、ユーザがメニュー項目９５に指をタッチして行うが、ディスプレイ９４がタッチパネルではない場合、ＨＤラジオ５０の本体に装備されているキーから成る選択部移動キー及び確定キー、さらに、リモコン上の選択部移動キー及び確定キーを操作するようになっていてもよい。
【００５７】
ディスプレイ９４は、好ましくは、ディスプレイ９４の背景部の全体を放送モード色とするものである。ディスプレイ９４の背景部の色とはディスプレイ色のことである。ユーザは、メニュー項目９５の色がディスプレイ９４の所定部分の色と一致するか否かの判断により、現在選択中の受信放送において該メニュー項目９５の選択が有効、無効となっていることを能率的に知ることができる。
【００５８】
放送受信機８５の具体的態様について説明する。
【００５９】
放送モード色表示手段９０は、各メニュー項目表示領域の背景色を放送モード色にするものである。前述のＨＤラジオ５０の有効メニュー項目としての”チャンネル切り替え”は、そのメニュー項目表示領域の背景色を放送モード色としての緑色にされている。メニュー項目表示領域の背景色として放送モード色を表示する場合には、放送モード色を表示する特別の領域を用意する必要を省略できる。
【００６０】
ディスプレイ９４はタッチパネルであり、タッチパネルに表示されたメニュー項目は、ユーザが選択を確定する際にタッチするソフトキーを兼ねている。ユーザは、ユーザ操作の際には、放送モード色のメニュー項目９５をタッチすればよいので、ユーザ操作を能率化できる。なお、選択が有効なメニュー項目９５を確定するキーをディスプレイ９４の外に配備することも可能である。
【００６１】
放送モード色表示手段９０は、現在の放送モードのみに有効である有効メニュー項目９５に対応付けて放送モード色を表示し、複数の放送モード（※複数の放送モードの概念には、全放送モードを含む。）に共通に有効である有効メニュー項目９５に対応付けて、複数の放送モードに共通に対応付けてある共通色を表示するものである。放送受信機８５の具体例であるＨＤラジオ５０のメニュー項目（図５）では、”イコライザー設定”等を全放送モードに共通に有効である有効メニュー項目９５とし、それらメニュー項目には、全放送モードに共通に対応付けてある共通色（図５では、該色を右肩下がりの斜め平行線で表現している。）を割り当てている。
【００６２】
放送モード色表示手段９０は、複数の放送モードに共通に有効であるメニュー項目については、その背景部を分割し、それら複数の放送モードにそれぞれ対応付けてある各放送モード色を背景部の各分割部分の色にする。例えば、図５のメニュー画面６１において、ＩＢＯＣ放送とＴＲ放送との２個の放送モードに選択が有効となるメニュー項目が存在すれば、該メニュー項目の表示領域を左右に二分割し、左右の分割部分をそれぞれ青色及び緑色にすることである。
【００６３】
放送受信機８５において、放送モードは、アナログ放送単独の伝送フォーマットに係る放送モード、デジタル放送単独の伝送フォーマットに係る放送モード、又はアナログ放送部分とデジタル放送部分との混在する放送に係る放送モードである。
【００６４】
なお、放送受信機７０，８５では、放送モード色は、該放送モード色に係る放送モードが、アナログ放送部分とデジタル放送部分との混在する受信放送の放送モードである場合には、アナログ放送部分及びデジタル放送部分に別々に対応付けられていてもよい。例えば、前述のＨＤラジオ３０，５０では、ＩＢＯＣ放送及びＴＲ放送のアナログ放送部分には放送モード色として白色を割り当て、ＩＢＯＣ放送のデジタル放送部分及びＴＲ放送のデジタル放送部分には緑色を割り当てている。そして、出力中のオーディオがＩＢＯＣ放送のデジタル放送部分をソースとしている場合には、ディスプレイ色及び有効な操作部材のバックライト及び選択可能なメニュー項目の背景色を青色としている。出力中のオーディオがＴＲ放送のデジタル放送部分をソースとしている場合には、ディスプレイ色及び有効な操作部材のバックライト及び選択可能なメニュー項目の背景色を緑色としている。また、出力中のオーディオがＩＢＯＣ放送のアナログ放送部分又はＴＲ放送のアナログ放送部分をソースとしている場合には、ディスプレイ色及び有効な操作部材のバックライト及び選択可能なメニュー項目の背景色を白色としている。
【００６５】
図８は放送受信機１０５の機能ブロック図である。該放送受信機１０５は、前述の放送受信機７０及び８５とは独立の放送受信機であってもよいし、前述の放送受信機７０又は８５の構成に該放送受信機１０５の構成を付加するように、前述の放送受信機７０又は８５に合体するものであってもよい。放送受信機１０５は、１個の搬送周波数を割り当てられて所定の伝送フォーマットで送信されて来る受信放送に対し、１個の受信放送を選択して、該受信放送に係る放送内容を出力可能となっている。
【００６６】
放送受信機１０５は、テキスト抽出手段１０６、テキスト表示手段１０７、ソース判別手段１０８、ソース色検出手段１０９及びソース色表示手段１１０を有している。テキスト抽出手段１０６は、選択中の受信放送であってアナログ放送部分とデジタル放送部分とを含む受信放送からテキスト１１５を抽出する。テキスト表示手段１０７は、抽出したテキスト１１５をディスプレイ１１４に表示する。ソース判別手段１０８は、テキスト１１５のソースが、受信放送のアナログ放送部分かデジタル放送部分かを判別する。ソース色検出手段１０９は、ソースに対応付けられた色をソース色として検出する。ソース色表示手段１１０は、ディスプレイ１１４に表示中のテキスト１１５に対応付けてソース色を表示する。
【００６７】
放送受信機１０５の一例は前述のＨＤラジオ１０，５０である。ディスプレイ１１４の一例は前述の表示装置１７及びカラーＬＣＤ３３である。ディスプレイ１１４に表示されるテキスト１１５としては、例えば、現在、オーディオ出力されている楽曲のタイトルやアーティスト名がある。ソース色表示手段１１０は、好ましくはソース色をテキスト１１５自体、又はテキスト表示領域における背景色とする。
【００６８】
例えば、前述の図４では、放送モードはＮｏｎ−Ｄｅｌａｙ放送である期間において、テキスト”Ｌｅｔ  ｉｔ  ｂｅ／Ｂｅａｔｌｅｓ”はデジタル放送部分をソースとしてデジタル放送部分から抽出されたものであるので、該テキストを表示するテキスト表示領域の背景色は、放送モード色表示領域の水色に対し、青色となっていた。また、図２及び図３では、テキスト”Ｌｅｔ  ｉｔ  ｂｅ／Ｂｅａｔｌｅｓ”は、オーディオと共にＩＢＯＣ放送及びＴＲ放送のデジタル放送部分をソースとしてデジタル放送部分から抽出されたものであるので、該テキストを表示するテキスト表示領域の背景色は、放送モード色表示領域の青色及び緑色と同じく、それぞれ青色及び緑色となっていた。
【００６９】
こうして、ユーザは、ディスプレイ１１４に表示されているテキストの抽出元としてのソースがアナログ放送部分及びデジタル放送部分のどちらかを把握できる。
【００７０】
放送受信機１０５を放送受信機７０（図６）の中に組み込んで、放送受信機１０５，７０を統合することができる。その場合、ディスプレイ１１４はディスプレイ７６となる。こうして、ユーザは、ディスプレイ色と操作部７２の対応付け色とが一致しているか否かにより有効操作部を判別しつつ、テキストのソースがアナログ放送部分及びデジタル放送部分のいずれであるかを認知することができる。
【００７１】
図９は放送受信機用制御方法１３０のフローチャートである。放送受信機用制御方法１３０は図６の放送受信機７０に対応している。Ｓ１３１では、選択中の受信放送の放送モードを検出する。Ｓ１３２では、ユーザによって操作される複数個の操作部７２の中で、検出した放送モードにおいて有効となる機能の実行指示のための操作部７２を有効操作部として検出する。Ｓ１３３では、放送モードに対応付けられている色を放送モード色として検出する。Ｓ１３４では、ディスプレイ７６の背景部の少なくとも部分を放送モード色にするとともに、有効操作部に対応付けて放送モード色を表示する。
【００７２】
放送受信機７０について説明した放送受信機７０の各具体的態様は放送受信機用制御方法１３０の具体的態様としても適用される。
【００７３】
図１０は放送受信機用制御方法１４０のフローチャートである。放送受信機用制御方法１４０は図７の放送受信機８５に対応している。Ｓ１４１では、選択中の受信放送の放送モードを検出する。Ｓ１４２では、ディスプレイ９４に表示されてユーザに選択させる複数個のメニュー項目９５であって放送モードにおいてユーザ選択が有効であるメニュー項目９５を有効メニュー項目９５として検出する。Ｓ１４３では、放送モードに対応付けられている色を放送モード色として検出する。Ｓ１４４では、ディスプレイ９４の背景部の少なくとも部分を放送モード色にするとともに、有効メニュー項目９５に対応付けて放送モード色を表示する。
【００７４】
放送受信機８５について説明した放送受信機８５の各具体的態様は放送受信機用制御方法１４０の具体的態様としても適用される。
【００７５】
図１１は放送受信機用制御方法１５０のフローチャートである。該放送受信機用制御方法１５０は、前述の放送受信機用制御方法１３０及び１４０とは独立の放送受信機用制御方法であってもよいし、前述の放送受信機用制御方法１３０又は１４０に該放送受信機用制御方法１５０を付加するように、前述の放送受信機用制御方法１３０又は１４０に合体するものであってもよい。合体する場合には、放送受信機用制御方法１５０は、典型的には、前述の放送受信機用制御方法１３０又は１４０の後尾に付加するが、前述の放送受信機用制御方法１３０又は１４０の先頭に付加してもよい。また、放送受信機用制御方法１５０を、前述の放送受信機用制御方法１３０又は１４０の任意のステップ間に挿入してもよい。
【００７６】
放送受信機用制御方法１５０は図８の放送受信機１０５に対応している。Ｓ１５１では、選択中の受信放送であってアナログ放送部分とデジタル放送部分とを含む受信放送からテキスト１１５を抽出する。Ｓ１５２では、抽出したテキスト１１５をディスプレイ１１４に表示する。Ｓ１５３では、テキスト１１５のソースが、受信放送のアナログ放送部分かデジタル放送部分かを判別する。Ｓ１５４では、ソースに対応付けられた色をソース色として検出する。Ｓ１５５では、ディスプレイ１１４に表示中のテキスト１１５に対応付けてソース色を表示する。
【００７７】
放送受信機１０５について説明した放送受信機１０５の各具体的態様は放送受信機用制御方法１５０の具体的態様としても適用される。
【００７８】
本発明のプログラムは、放送受信機７０，８５，１０５の各手段として機能させる。本発明のプログラムは、また、コンピュータに放送受信機用制御方法１３０，１４０，１５０の各ステップをコンピュータに実現させる。
【図面の簡単な説明】
【００７９】
【図１】ＨＤラジオの構成図である。
【図２】ユーザにより選択された受信放送の放送モードがＩＢＯＣ放送である場合のＨＤラジオの状態を示す正面図である。
【図３】ユーザにより選択された受信放送の放送モードがＴＲ放送である場合のＨＤラジオの状態を示す正面図である。
【図４】ユーザにより選択された受信放送の放送モードがＮｏｎ−Ｄｅｌａｙ放送である場合のＨＤラジオの状態を示す正面図である。
【図５】カラータッチパネルを装備するＨＤラジオの正面図である。
【図６】放送受信機の機能ブロック図である。
【００８０】
【図７】別の放送受信機の機能ブロック図である。
【図８】他の放送受信機の機能ブロック図である。
【図９】放送受信機用制御方法のフローチャートである。
【図１０】別の放送受信機用制御方法のフローチャートである。
【図１１】他の放送受信機用制御方法のフローチャートである。
【符号の説明】
【００８１】
７０：放送受信機、７１：放送モード検出手段、７２：操作部、７３：有効操作部検出手段、７４：放送モード色検出手段、７５：放送モード色表示手段、７６：ディスプレイ、８５：放送受信機、８６：放送モード検出手段、８７：メニュー項目表示手段、８８：有効メニュー項目検出手段、８９：放送モード検出手段、９０：放送モード色表示手段、９４：ディスプレイ、９５：メニュー項目、１０５：放送受信機、１０６：テキスト抽出手段、１０７：テキスト表示手段、１０８：ソース判別手段、１０９：ソース色検出手段、１１０：ソース色表示手段、１１４：ディスプレイ、１１５：テキスト、１３０：放送受信機用制御方法、１４０：放送受信機用制御方法、１５０：放送受信機用制御方法。
【図１】
2006333370.tif 000003
【図２】
2006333370.tif 000004
【図３】
2006333370.tif 000005
【図４】
2006333370.tif 000006
【図５】
2006333370.tif 000007
【図６】
2006333370.tif 000008
【図７】
2006333370.tif 000009
【図８】
2006333370.tif 000010
【図９】
2006333370.tif 000011
【図１０】
2006333370.tif 000012
【図１１】
2006333370.tif 000013